(57)【要約】【課題】  シールド材の発熱を防止するとともに漏洩磁束の発生を効果的に防止できる誘導加熱装置を提供する。【解決手段】  被加熱体を誘導加熱する加熱コイル１１と、加熱コイル１１を覆う強磁性体の金属からなるシールド材１４を有し、そのシールド材１４に、加熱コイル１１により発生する磁束の流れを妨げない方向に複数のスリット１４ａを設ける。【選択図】    図２
2005122984.tif 000002
【特許請求の範囲】
【請求項１】
被加熱体を加熱コイルで誘導加熱する誘導加熱装置において、
前記加熱コイルを覆う強磁性体の金属からなるシールド材を有し、
前記シールド材は、前記加熱コイルにより発生する磁束の流れを妨げない方向に複数のスリットを設けたことを特徴とする誘導加熱装置。
【請求項２】
被加熱体を加熱コイルで誘導加熱する誘導加熱装置において、
前記加熱コイルの加熱面と反対面側に配置されたフェライトと、
前記加熱コイルの外周を所定の間隔を開けて囲うように配置された導電性金属からなる防磁リングと、
前記防磁リングの外縁から前記加熱コイル及び前記フェライトを覆う強磁性体の金属からなるシールド材とを有し、
前記シールド材は、前記加熱コイルにより発生する磁束の流れを妨げない方向に複数のスリットを設けたことを特徴とする誘導加熱装置。
【発明の詳細な説明】
【技術分野】
【０００１】
本発明は、被加熱体を誘導加熱する誘導加熱装置に関する。
【背景技術】
【０００２】
誘導加熱装置は、加熱コイルに数ｋ〜１００ｋＨｚ程度の高周波電流を流すことにより発生される高周波磁界中に導電性物質である金属を置くと渦電流が発生することを利用し、この渦電流によるジュール熱で鉄等の金属からなる被加熱体の加熱を行うようにしたものである。
【０００３】
このため、誘導加熱装置は、バーナ等の加熱に比べて火を使用しないことから安全性に優れている。また、誘導加熱装置は、短時間で被加熱体を加熱できる上、電流制御により特定部位の加熱も可能となることから、熱間シートバーの加熱装置（例えば、特許文献１参照）、複写機における転写ロールの加熱装置（例えば、特許文献２参照）、電磁調理器（例えば、特許文献３，４参照）等に広く使用されている。
【特許文献１】特開平２−６００９号公報
【特許文献２】特開２００２−４０８３９公報
【特許文献３】特公昭５８−３７６７６号公報
【特許文献４】特開２０００−４８９４４公報
【発明の開示】
【発明が解決しようとする課題】
【０００４】
その一方で、誘導加熱装置は、加熱コイルから発生する高周波磁界を利用して被加熱体を加熱するため、本質的に誘導加熱装置から磁束が漏洩することは避けられず、人体や電子機器への悪影響が懸念されている。特に近年、鉄鋼プロセスラインは電子化及びコンパクト化が進み、ラインの近傍に電子計算機等の電子機器が配置される場合があり、漏洩磁束の発生を抑制したいという要望が高まっていた。
【０００５】
因みに、電磁調理器の分野においては、漏洩磁束の発生を抑制するために種々の技術が提案されている。例えば、加熱コイルの周囲にアルミニウム等の非磁性金属からなるシールド環を設けることにより、加熱コイルが発生する磁力線と反対の磁場を発生させ、磁力線をシールド環の中に封じ込める技術や、加熱コイルと電源部とを磁束の通過を妨げない非磁性の金属性材料で覆う技術が提案されている。
【０００６】
しかし、電磁調理器分野における前者の技術は、シールド環の外に漏れる磁束が増加するという問題を有していた。また、シールド環の材料として非磁性金属が用いられているが、加工性，飽和磁化の観点から強磁性体の金属を用いたいとの要望がある。ところが、強磁性体の金属は、非磁性金属と比較すると電気抵抗が高いため、発熱を抑制する必要がある。さらに、後者の技術では、電源部から発生する電磁波に関しては効果的にシールドできるものの、加熱コイルからの磁束はシールドされていないため、漏洩磁束は大きいという問題があった。
【０００７】
本発明は、このような事情に基づいてなされたもので、その目的とするところは、シールド材の発熱を防止するとともに漏洩磁束の発生を効果的に防止できる誘導加熱装置を提供しようとするものである。
【課題を解決するための手段】
【０００８】
本発明は、被加熱体を加熱コイルで誘導加熱する誘導加熱装置において、加熱コイルを覆う強磁性体の金属からなるシールド材を有し、そのシールド材は、加熱コイルにより発生する磁束の流れを妨げない方向に複数のスリットを設けたものである。  
また本発明は、被加熱体を加熱コイルで誘導加熱する誘導加熱装置において、加熱コイルの加熱面と反対面側に配置されたフェライトと、加熱コイルの外周を所定の間隔を開けて囲うように配置された導電性金属からなる防磁リングと、防磁リングの外縁から前記加熱コイル及び前記フェライトを覆う強磁性体の金属からなるシールド材とを有し、そのシールド材は、加熱コイルにより発生する磁束の流れを妨げない方向に複数のスリットを設けたものである。
【発明の効果】
【０００９】
本発明は、かかる手段を講じたことにより、シールド材の発熱を防止するとともに漏洩磁束の発生を効果的に防止できる誘導加熱装置を提供できる。
【発明を実施するための最良の形態】
【００１０】
以下、本発明の実施の形態を図面を用いて説明する。  
なお、この実施の形態は、熱間シートバーの誘導加熱装置に本発明を適用した場合である。一般に、鉄鋼用熱間圧延ラインでは、加熱した板状のスラブを粗圧延機により薄厚の熱間シートバーに圧延し、これを仕上圧延機により所望の製品の厚さまでさらに圧延を行うが、この粗圧延から仕上圧延の加工工程間で熱間シートバーの保有する熱の一部が大気中に放熱され、熱間シートバーの温度分布が均一でなくなるので、仕上圧延機入側に誘導加熱装置を設けて熱間シートバーを誘導加熱し、温度分布を均一に保つようにしている。本実施の形態は、この仕上圧延機入側に設けられた誘導加熱装置に本発明を適用した場合である。
【００１１】
図１は本実施の形態における誘導加熱装置の図２におけるＢ−Ｂ矢視断面の概略図であり、図２は図１におけるＡ−Ａ矢視断面の概略図である。本実施の形態では、鉄鋼用熱間圧延ラインを搬送される板状被加熱体（熱間シートバー）３を上下から挟み込むように、一対の誘導加熱装置１，２が対峙して設けられている。誘導加熱装置１と誘導加熱装置２は同一構成である。そこで本実施の形態では、説明の便宜上、誘導加熱装置１について説明し、誘導加熱装置２については、同一部分に同一符号を付して詳細な説明を省略する。
【００１２】
誘導加熱装置１は、電線が“口”形状に巻回された加熱コイル１１と、この加熱コイル１１の加熱コイル面１２とは反対面側に放射状に取り付けられた複数の棒状のフェライト１３と、磁気をシールドするためのシールド材１４とから構成されている。誘導加熱装置１における加熱コイル１１の加熱コイル面１２と、誘導加熱装置２における加熱コイル１１の加熱コイル面１２とは対向して配置されており、その間を搬送される板状被加熱体３の幅方向略全域を上下から加熱するようになっている。なお、図１において、矢印Ｃは板状被加熱体３の搬送方向を示している。
【００１３】
シールド材１４は、強磁性体の金属を材料としている。強磁性体としては、加工性と飽和磁化の観点から鉄系の材料であることが望ましく、純鉄，電磁鋼板，冷延鋼板，熱延鋼板，亜鉛メッキ鋼板等をシールド材１４の材料として使用する。シールド材１４は、Ｓｉ＝０．１％，板厚２ｍｍの鋼板に、所定半径の円の円周位置から放射状に複数のスリット１４ａを設け（所定半径の円の中心に対して点対称となるように設けている。）、そのスリット１４ａを設けた鋼板を縦１ｍ，横１．６ｍ，深さ５０ｃｍに深しぼり加工し、加工時の歪みを除去するために７５０℃×２ｈｒの歪み取り焼鈍を行って成形している。図３はこのように成形されたシールド材１４を開口側から見た図である。図示のように、所定半径の円の中心がシールド材１４の中心軸となっており、中心軸の所定位置から側面方向へ放射状の複数のスリット１４ａが中心軸に対して点対称となるように設けられている。このシールド材１４は、図２に示すように、開口側を板状被加熱体３に向けフェライト１３を覆うようにするとともに開口側の先端部が加熱コイル１１の外周から所定の距離離れた位置に設置している。また、シールド材１４の中心軸と加熱コイル１１の中心軸とが略一致するように、シールド材１４を設置している。したがって、シールド材１４を設置したときにスリット１４ａは加熱コイル１１から発生する磁束の流れを妨げない方向に設けられることになる。なお、加熱コイル１１とシールド材１４との間にフェライト１３を設けることにより、加熱コイル１１から発生する磁束をフェライト１３で吸収できるため、シールド材１４を加熱コイル１１側に近づけて設置することができる。
【００１４】
このように構成された本実施の形態においては、一対の誘導加熱装置１，２の各加熱コイル１１に図示しない高周波電源から高周波電流を流すと、両加熱コイル１１間に高周波磁界が発生する。この高周波磁界中を、鉄鋼用熱間圧延ラインを搬送される板状被加熱体（熱間シートバー）３が通過すると、板状被加熱体３に渦電流が発生し、この渦電流によるジュール熱で板状被加熱体３が加熱される。
【００１５】
このとき、加熱コイル１１から発生され、板状被加熱体３の板面方向に被加熱物を通過した磁束の大部分は、加熱コイル１１から所定の距離離れた位置にあるシールド材１４の開口側の先端部からシールド材１４の内周面の中心方向へ流れ、その中心部から加熱コイル１１の中心部を通過して再び板状被加熱体３の被加熱面に当たるように流れていく。すなわち、シールド材１４により加熱コイル１１から発生する磁束をコイル中心方向へ集中させることができる。また、シールド材１４に加熱コイル１１から発生する磁束の流れを妨げない方向に複数のスリット１４ａを施してあるため、スリット１４ａ間で局所的に渦電流が発生しても、シールド材１４全体に対する渦電流発生しないため、シールド材１４内での渦電流を低減させることができる。
【００１６】
なお、従来よりある磁気シールド（例えばシールド環）は材料としてアルミニウム，銅等の非磁性金属が使用されている。これは、アルミニウム，銅等は電気抵抗が小さいので渦電流による発熱が小さいためである。これに対し、鉄系の材料は加工性，飽和磁化の観点から優れているが、電気抵抗がアルミ，銅等に比べて大きいので渦電流による発熱が大きく、特に、磁気シールド材１４の板面内で渦電流が流れた場合には発熱量は大変大きくなってしまうため、鉄系の材料を磁気シールドの材料として用いることが困難であった。本発明では、磁気シールドを行うためのシールド材１４に磁束の流れを妨げない方向に複数のスリット１４ａを設けることにより、シールド材１４の板面内の渦電流を制御して発熱を抑制し、シールド材１４に鉄系の材料を使用することを可能にしている。
【００１７】
このように本実施の形態によれば、強磁性体の金属からならシールド材１４を、開口側を板状被加熱体３に向けフェライト１３を覆うようにするとともに開口側の先端部が加熱コイル１１の外周から所定の距離離れた位置に設置し、加熱コイル１１から発生する磁束の流れ妨げない方向に複数のスリット１４ａを設けているため、漏洩磁束を防止するとともにシールド材１４内で発生する渦電流を低減させることができ、シールド材１４の発熱を抑制することができる。
【００１８】
また、この実施の形態では、鉄鋼用熱間圧延ラインの仕上圧延機入側に設けられた誘導加熱装置に本発明を適用した場合を示したが、本発明を適用可能な誘導加熱装置は、これに限定されるものではない。
【００１９】
図４は、ロール加熱装置２０の誘導加熱装置２１に本発明を適用した場合である。ロール加熱装置２０は、ワークロール２２の外周に沿って搬送される熱延鋼板，冷延鋼板等の被加熱体２３を、誘導加熱装置２１によりワークロール２２と搬送される鋼帯を同時に誘導加熱するものである。この誘導加熱装置２１に、強磁性体の金属からなるシールド材１４を設けている。
【００２０】
シールド材１４は、Ｓｉ＝０．１％，板厚１ｍｍの鋼板に所定半径の円の円周位置から放射状に複数のスリット１４ａを設け、そのスリット１４ａを設けた鋼板を縦１ｍ，横１．２ｍ，深さ３０ｃｍに深しぼり加工し、加工時の歪みを除去するために７５０℃×２ｈｒの歪み取り焼鈍を行って成形している。また、所定半径の円の中心がシールド材１４の中心軸となっており、中心軸の所定位置から側面方向へ放射状の複数のスリット１４ａが中心軸に対して点対称となるように設けられている。この、シールド材１４は、開口側をワークロール２２側に向けフェライト１３を覆うようにするとともに開口側の先端部が加熱コイル１１の外周から所定の距離離れた位置となるように設置し、シールド材１４の中心軸と加熱コイル１１の中心軸とが略一致するように、シールド材１４を設置している。すなわち、シールド材１４を設置したときにスリット１４ａは加熱コイル１１から発生する磁束の流れを妨げない方向に設けられている。
【００２１】
したがって、ロール加熱装置２０の誘導加熱装置２１においても前記実施の形態と同様な効果を奏することができる。因みに、図に示した構成の誘導加熱装置２１の構成は、複写機の定着ローラを加熱する誘導加熱装置としても適用することができる。
【００２２】
図５は、電磁調理器３０の誘導加熱装置３１に本発明を適用した場合である。電磁調理器３０は、トッププレート３２の上に置かれた鉄製の鍋等の被加熱体３３をトッププレート３２の下方に設けられた誘導加熱装置３１によって誘導加熱するものである。
【００２３】
この実施の形態の誘導加熱装置３１は、電線が“口”形状に巻回された加熱コイル１１と、この加熱コイル１１の加熱コイル面１２とは反対側の面に放射状に取り付けられた複数の棒状のフェライト１３と、加熱コイル１１の外周を所定の間隔を開けて囲うように、かつ一方の端部が加熱コイル１１の加熱コイル面１２と略同一位置に配置された防磁リング１５と、シールド材１４とから構成されている。
【００２４】
シールド材１４は、Ｓｉ＝０．１％，板厚０．６ｍｍの鋼板に所定半径の円の円周位置から放射状に複数のスリット１４ａを設け、そのスリット１４ａを設けた鋼板を外径５ｃｍ，深さ２ｃｍに深しぼり加工し、加工時の歪みを除去するために７５０℃×２ｈｒの歪み取り焼鈍を行って成形している。図６はこのように成形したシールド材１４を開口側から見た図である。図示のように、所定半径の円の中心がシールド材１４の中心軸となっており、中心軸の所定位置から側面方向へ放射状の複数のスリット１４ａが中心軸に対して点対称となるように設けられている。
【００２５】
シールド材１４は、開口側をトッププレート３２側に向け、その先端部が防磁リング１５の外縁に位置し、その防磁リング１５の外縁からフェライト１３を覆うように設置している。また、シールド材１４のスリットの中心軸と加熱コイル１１の中心軸とが略一致するように、シールド材１４を設置している。すなわち、シールド材１４を設置したときにスリット１４ａは加熱コイル１１から発生する磁束の流れを妨げない方向に設けられている。
【００２６】
表１は、シールド材１４を設置しない場合、スリット１４ａを設けていないシールド材（スリット１４ａを設けていない上述の鋼板に深しぼり等の同様な加工を施し成形したもの）を設置した場合、スリット１４ａを設けているシールド材１４を設置した場合の３通りの場合で、電磁調理器３０からの漏洩磁束の測定を行っている。また、スリット１４ａを設けていないシールド材を設置した場合及びスリット１４ａを設けているシールド材１４を設置した場合の２通りでシールド材１４の温度の測定を行っている。磁束の測定は、電磁調理器３０のトッププレート３２前面の縁から１ｃｍの位置で行ったものであり、各シールド材の温度の測定は、熱電対温度計により、コイル中心軸に相当する位置で行っている。
【表１】
2005122984.tif 000003
【００２７】
表１に示すように、シールド材を設置しない場合に比べ、各シールド材を設置した場合の方が漏洩磁束が低下している。また、シールド材を設置したときに、スリット１４ａを設けている場合とスリット１４ａを設けていない場合とで比較すると、スリット１４ａを設けている場合の方が漏洩磁束は若干大きいが、温度は大幅に低下していることがわかる。したがって、電磁調理器３０の誘導加熱装置２１においても前記実施の形態と同様な効果を奏することができる。
【００２８】
図７は、図５を参照して説明した電磁調理器３０において、開口側の先端部が、防磁リング１５よりトッププレート３２側に、突出するようにシールド材１４´を設置した場合である。このシールド材１４´は上述のシールド材１４とは、深しぼり加工を３．５ｃｍにして０．５ｃｍ深く加工している点が異なっている。このシールド材１４´を上述の場合と同様に設置している。したがって、シールド材１４´の開口側先端は、深しぼりを０．５ｃｍ深くした分だけトッププレート３２側に突出している。
【００２９】
表２は、このようにシールド材１４´を設置した場合に表１と同様の測定を行った測定結果を示している。
【表２】
2005122984.tif 000004
【００３０】
表２に示すように、表１の測定結果と比較すると、シールド材１４´の方が漏洩磁束を効果的に防止していることがわかる。また、スリット１４ａを設けていないシールド材１４´は、加熱コイル１１から発生する磁束による渦電流が流れるため発熱が大きく温度が大幅に上昇してしまうが、スリット１４ａを設けたシールド材１４´はスリット１４ａ間において局所的に渦電流が発生しても発熱はそれほど大きくならないため温度上昇が抑えられる。したがって、防磁リング１５よりトッププレート側３２に先端が突出しているシールド材１４´により、発熱を抑制するとともに、さらに、効果的に漏洩磁束を低減することができる。
【００３１】
なお、この実施の形態では、シールド材１４，１４´を鍋状に加工して使用しているが、これに限るものではなく、被加熱体に対して閉磁路が形成できる形状であれば、板状、リング状の形状をしていても良い。
【００３２】
なお、この発明は、上記実施の形態そのままに限定されるものではなく、実施段階ではその要旨を逸脱しない範囲で構成要素を変形して具体化でき、また上記実施形態に開示されている複数の構成要素の適宜な組み合わせにより種々の発明を変形できるものである。
【図面の簡単な説明】
【００３３】
【図１】本発明の一実施の形態における誘導加熱装置の平面図。
【図２】図１におけるＡ−Ａ矢視断面の概略図。
【図３】シールド材を説明するための図。
【図４】本発明をロール加熱装置に適用した実施形態を示す模式図。
【図５】本発明を電磁調理器に適用した実施形態を示す模式図。
【図６】シールド材の他の例を示す図。
【図７】シールド材の他の例を示す図。
【符号の説明】
【００３４】
１，２，２１，３１…誘導加熱装置
３，２３，３３…被加熱体
１１…加熱コイル
１２…加熱コイル面
１３…フェライト
１４，１４´…シールド材
１４ａ…スリット
１５防磁リング
【図１】
2005122984.tif 000005
【図２】
2005122984.tif 000006
【図３】
2005122984.tif 000007
【図４】
2005122984.tif 000008
【図５】
2005122984.tif 000009
【図６】
2005122984.tif 000010
【図７】
2005122984.tif 000011